(57)【要約】【課題】値札の古い価格を隠すように貼り付ける際に、古い価格の近傍に表示されているバーコードその他の情報を隠さないようにして、情報の目視ないし機械読取りを保証し、マークダウン用シールのサイズをシール剥離貼付け装置などに装填可能な大きさとして、貼付け作業性を向上可能なマークダウン用シールを提供すること。【解決手段】マークダウン用シールの基材として透明な基材を採用すること、マークダウン用シールの領域として、透明基材による透明領域１５と変更価格表示領域１６とを隣り合わせるようにすることにより、シール全体として必要な長さを確保すること、および透明領域１５を通して元の情報を透視可能とすることに着目したもので、台紙１１に仮着するとともに透明な基材から構成したシール基材を、透明領域１５と、透明領域１５に隣接して新たな価格８を表示する変更価格表示領域１６と、に分割してあることを特徴とする。【選択図】図１
2008197339.tif 000002
【特許請求の範囲】
【請求項１】
商品の価格を表示した値札に貼り付けてこの価格を隠すとともに、新たな価格を表示するためのマークダウン用シールであって、
帯状の台紙と、
この台紙に仮着するとともに透明な基材から構成したシール基材と、
を有するとともに、
前記シール基材は、透明領域と、この透明領域に隣接して前記新たな価格を表示する変更価格表示領域と、にこれを分割してあることを特徴とするマークダウン用シール。
【請求項２】
前記変更価格表示領域には、隠蔽性インキを塗布してあるとともに、この表面に前記新たな価格を印字可能としてあることを特徴とする請求項１記載のマークダウン用シール。
【請求項３】
当該マークダウン用シールをシール剥離貼付け装置に装填して前記シール基材を前記台紙から剥離可能としていることを特徴とする請求項１記載のマークダウン用シール。
【請求項４】
前記透明領域および前記変更価格表示領域は、その合計長さが当該マークダウン用シールをシール剥離貼付け装置に装填して所定のピッチで移送可能な長さにこれを形成してあることを特徴とする請求項１記載のマークダウン用シール。
【発明の詳細な説明】
【技術分野】
【０００１】
本発明はマークダウン用シールにかかるもので、とくに値札に表示してある価格を変更（値下げ）するためのマークダウン用シールに関するものである。
【背景技術】
【０００２】
従来のマークダウン用シールについて、図５にもとづき概説する。
図５は、従来の値札１およびマークダウン用シール２の一例を示す平面図であって、値札１は、たとえばタグ（下げ札）などであり、商品の価格３および商品特定用のバーコード４、さらに必要な各種情報５を表示している。
【０００３】
マークダウン用シール２は、紙材あるいは合成樹脂材などによるシール基材６の裏面に粘着剤層７を形成してあるもので、値札１の価格３部分に重ね合わせるように上から貼り付けることにより、この価格３を隠すとともに、必要に応じて販売促進用の表示とともに、新たな価格８を表示するものである。
【０００４】
こうした構成のマークダウン用シール２において、とくに、値札１において変更が必要な価格３のみにマークダウン用シール２を貼り付けようとしているため、価格３を表示している領域の天地長さが狭い場合には、この価格３の部分に重ね貼りするマークダウン用シール２も小さいものであり、貼付け作業性に劣るという問題がある。
とくに、価格３を表示している領域の近傍に位置するバーコード４などにかかるようにマークダウン用シール２を重ねると、表示として必要な部分まで隠してしまうことになるので、バーコード４などにかからないように注意しながら貼り付ける必要があり、さらに貼付け作業性が低下してしまうという問題がある。
【０００５】
また、価格３を表示している領域が小さいと（とくにその移送方向の長さ、ピッチが短いと）、携帯式のシール貼付け器ないしシール剥離貼付け装置に装填して大量に、かつ一度にマークダウン処理を行うこと、さらには自動貼付け処理を行うことが困難であり、これらの点からも貼付け作業性が悪いという問題がある。
【０００６】
【特許文献１】特開２００４−２９３６４号公報
【発明の開示】
【発明が解決しようとする課題】
【０００７】
本発明は以上のような諸問題にかんがみなされたもので、マークダウン用シールの貼付け作業性を向上可能なマークダウン用シールを提供することを課題とする。
【０００８】
また本発明は、値札の古い価格を隠すように貼り付ける際に、古い価格の近傍に表示されているバーコードその他の情報を隠さないようにして、情報の目視ないし機械読取りを保証可能なマークダウン用シールを提供することを課題とする。
【０００９】
また本発明は、値札の古い価格を隠すように貼り付ける際に、古い価格の近傍に表示されているバーコードその他の情報を隠さないように気にすることなく作業を行うことができるようにしたマークダウン用シールを提供することを課題とする。
【００１０】
また本発明は、マークダウン用シールのサイズをシール剥離貼付け装置や自動貼付け装置などに装填可能な大きさとすることができるマークダウン用シールを提供することを課題とする。
【課題を解決するための手段】
【００１１】
すなわち本発明は、マークダウン用シールの基材として透明な基材を採用すること、マークダウン用シールの領域として、この透明基材による透明領域と変更価格表示領域とを隣り合わせるようにすることにより、シール全体として必要な長さを確保すること、および透明領域を通して元の情報を透視可能とすることに着目したもので、商品の価格を表示した値札に貼り付けてこの価格を隠すとともに、新たな価格を表示するためのマークダウン用シールであって、帯状の台紙と、この台紙に仮着するとともに透明な基材から構成したシール基材と、を有するとともに、上記シール基材は、透明領域と、この透明領域に隣接して上記新たな価格を表示する変更価格表示領域と、にこれを分割してあることを特徴とするマークダウン用シールである。
【００１２】
上記変更価格表示領域には、隠蔽性インキを塗布してあるとともに、この表面に上記新たな価格を印字可能としてあることができる。
【００１３】
当該マークダウン用シールをシール剥離貼付け装置に装填して上記シール基材を上記台紙から剥離可能としていることができる。
【００１４】
上記透明領域および上記変更価格表示領域は、その合計長さが当該マークダウン用シールをシール剥離貼付け装置に装填して所定のピッチで移送可能な長さにこれを形成してあることができる。
【００１５】
上記台紙には、シール剥離貼付け装置や自動貼付け装置などに当該マークダウン用シールを装填してこれを移送可能とするための移送用カットを形成してあることができる。
【００１６】
上記透明領域と上記変更価格表示領域とは互いに隣接していればよいものであって、たとえばシール剥離貼付け装置などに装填されたときその移送方向において、いずれかの領域が上流あるいは下流側に位置していてもよいし、変更価格表示領域が一対の透明領域により挟まれた状態にあってもよい。
【発明の効果】
【００１７】
本発明によるマークダウン用シールにおいては、マークダウン用シールの基材として透明な基材を採用するとともに、マークダウン用シールの領域として、この透明基材による透明領域と、変更価格表示領域とを隣り合わせるようにして、必要な長さを確保するようにしたので、値札における古い価格の近傍に表示されているバーコードなどにマークダウン用シールがかかるように貼り合わせても、透明領域の下層のバーコードなどを目視ないし機械読取りが可能であって、表示されている情報を読み取ることができないなどの支障は生じない。
また、貼付け作業にあたってバーコードなどを隠さないように気にする必要がなく、またマークダウン用シール自体の大きさも取扱いに便利な程度の大きさに確保することができるので、貼付け作業性を向上可能である。
さらに、マークダウン用シール全体の大きさを必要な大きさに確保可能であるため、シール剥離貼付け装置や自動貼付け装置などにこれを装填して、必要なピッチでの移送およびマークダウン用シールの剥離が可能となり、大量かつ能率的な機械による貼付け処理も可能となる。
【発明を実施するための最良の形態】
【００１８】
本発明は、マークダウン用シールの基材として透明な基材を採用し、マークダウン用シールの領域として、この透明基材による透明領域と、変更価格表示領域とを隣り合わせるようにして、必要な長さを確保するようにしたので、貼付け作業性を向上するとともに、機械による貼付けも可能とするマークダウン用シールを実現した。
【実施例】
【００１９】
つぎに本発明の実施例によるマークダウン用シール１０を図１ないし図４にもとづき説明する。ただし、図５と同様の部分には同一符号を付し、その詳述はこれを省略する。
図１は、マークダウン用シール１０の平面図、図２は、図１のＩＩ−ＩＩ線拡大断面図、図３は、マークダウン用シール１０の裏面図である。
とくに図１にしめすように、マークダウン用シール１０は、帯状の台紙１１と、この台紙１１に仮着したシール基材１２と、を有する。シール基材１２の裏面には前記粘着剤層７を形成してある。
【００２０】
シール基材１２は、透明な基材（たとえば透明な合成樹脂フィルムなど）からこれを構成するとともに、幅方向の分離用カット１３により単葉のマークダウン用シール１４に分離可能としてある。
それぞれの単葉のマークダウン用シール１４は、透明領域１５と、この透明領域１５に隣接して新たな価格８を表示する変更価格表示領域１６と、にこれを分割してある。換言すれば、透明領域１５および変更価格表示領域１６を一体的に合わせた形態でマークダウン用シール１４を構成している。
【００２１】
とくに図２に示すように、変更価格表示領域１６には、たとえば隠蔽性インキを塗布することにより隠蔽層１７を形成し、その下層に位置する前記価格３（図５）などを隠蔽可能としてあるとともに、この表面に新たな価格８その他必要な情報を印字可能としてある。
【００２２】
なお、とくに図３に示すように、台紙１１には、マークダウン用シール１０移送用のＵ字形状の移送用カット１８を所定ピッチで、幅方向にその一対を形成してある。
【００２３】
透明領域１３および変更価格表示領域１４は、その合計長さが当該マークダウン用シール１０をたとえばシール剥離貼付け装置１９（図４）に装填して所定のピッチで移送可能な長さにこれを形成してあるもので、当該マークダウン用シール１０をシール剥離貼付け装置１９に装填して単葉のマークダウン用シール１４を台紙１１からそれぞれ剥離可能としている。
【００２４】
こうした構成のマークダウン用シール１０を前記値札１に貼り付ける際には、たとえば手作業であっても、台紙１１から単葉のマークダウン用シール１４を剥離し、値札１の古い価格３に貼り付けるにあたって、価格３の部分を単葉のマークダウン用シール１４の変更価格表示領域１６が隠すように貼ればよく、透明領域１５がバーコード４などにかかっても機械読取りは可能であって支障はなく、作業性良好に貼付け作業を行うことができる。
【００２５】
また、マークダウン用シール１０を機械に装填し、単葉のマークダウン用シール１４の剥離および貼付け操作を行うこともできる。
図４は、たとえばシール剥離貼付け装置１９の要部を拡大して示す要部拡大断面図であって、シール剥離貼付け装置１９は、剥離ピン２０と、移送ピン２１と、貼付けローラー２２と、を有する。
【００２６】
剥離ピン２０の部分でマークダウン用シール１０の台紙１１のみを転向し、移送ピン２１にＵ字状の移送用カット１８を係合し、移送ピン２１の往復運動により剥離ピン２０において台紙１１からシール基材１２（単葉のマークダウン用シール１４）を一枚づつ剥離し、貼付けローラー２２の下方に位置させる。
剥離された単葉のマークダウン用シール１４の下方に値札１を位置させた状態で貼付けローラー２２でマークダウン用シール１４をこするようにマークダウン用シール１４を値札１に押し付ければ、値札１の必要部分（価格３）を隠しつつ、マークダウン用シール１４により新たな価格８を表示することができるとともに、たとえばバーコード４にマークダウン用シール１４がかかっても、マークダウン用シール１４の透明領域１５が透明であるために、バーコード４の機械読取りは可能である。
【００２７】
かくして、マークダウン用シール１０（単葉のマークダウン用シール１４）の貼付け作業性を良好にすることができるとともに、シール剥離貼付け装置１９などによっても機械的かつ短時間に大量に貼り付けることができるので、作業性をさらに向上することができる。
【図面の簡単な説明】
【００２８】
【図１】本発明の実施例によるマークダウン用シール１０の平面図である。
【図２】同、図１のＩＩ−ＩＩ線拡大断面図である。
【図３】同、マークダウン用シール１０の裏面図である。
【図４】同、シール剥離貼付け装置１９の要部を拡大して示す要部拡大断面図である。
【図５】従来の値札１およびマークダウン用シール２の一例を示す平面図である。
【符号の説明】
【００２９】
１  値札（図４、図５）
２  マークダウン用シール（従来、図５）
３  価格（古い価格）
４  バーコード
５  必要な各種情報
６  シール基材
７  粘着剤層
８  新たな価格
１０  マークダウン用シール（実施例、図１）
１１  帯状の台紙
１２  透明なシール基材
１３  分離用カット
１４  単葉のマークダウン用シール
１５  透明領域
１６  変更価格表示領域
１７  変更価格表示領域１６における隠蔽性インキなどによる隠蔽層
１８  台紙１１に形成したＵ字状の移送用カット（図３）
１９  シール剥離貼付け装置（図４）
２０  剥離ピン
２１  移送ピン
２２  貼付けローラー
【図１】
2008197339.tif 000003
【図２】
2008197339.tif 000004
【図３】
2008197339.tif 000005
【図４】
2008197339.tif 000006
【図５】
2008197339.tif 000007